(57)【要約】【課題】インターネット利用者を広告に惹き付ける広告掲示システムを提供する。【解決手段】日本地図付近には、様々なカテゴリ名が列挙されてユーザがカテゴリを選択できるカテゴリ選択欄１０と、ユーザがキーワードを入力して交通広告を検索できるキーワード検索欄１１と、広告掲示サーバのウェブサイトを運営する会社に広告主が登録申請をすると発行されるＩＤとパスワードをそれぞれ入力するＩＤ入力欄１２と、パスワード入力欄１３とが表示されている。交通広告は上部と下部に分けられて表示されており、上部スペースには広告主がログインをして更新可能な交通広告が表示され、下部スペースには一般の広告スペースとして交通広告やその他一般の広告が表示される。更新された交通広告は、左から２番目に配置され、更新されない交通広告は次第に右側へと移っていく。【選択図】図２
2008052658.tif 000002
【特許請求の範囲】
【請求項１】
広告主サーバと、広告掲示サーバと、ユーザ端末とによって、広告を掲示する広告掲示システムであって、
前記広告主サーバは、交通広告を通信回線を介して前記広告掲示サーバへ送信する交通広告送信手段を備え、
前記広告掲示サーバは、前記交通広告送信手段から受信した交通広告を記録する交通広告記録手段と、
前記ユーザ端末からの要求に応じて、前記交通広告記録手段に記録された交通広告を通信回線を介して前記ユーザ端末に転送する交通広告転送手段を備え、
前記ユーザ端末は、前記交通広告転送手段から交通広告を受信する交通広告受信手段を備えた
ことを特徴とする広告掲示システム。
【請求項２】
前記交通広告記録手段に記録された交通広告が、広告内容に合わせてカテゴリ別に記録された
ことを特徴とする請求項１に記載の広告掲示システム。
【請求項３】
前記交通広告記録手段に記録された交通広告が、前記広告主サーバとリンクされた
ことを特徴とする請求項１または請求項２に記載の広告掲示システム。
【請求項４】
広告掲示サーバを有し、広告を掲示する広告掲示システムであって、
前記広告掲示サーバは、広告主サーバから交通広告を通信回線を介して受信する交通広告受信手段と、
該交通広告受信手段によって受信した交通広告を記録する交通広告記録手段と、
ユーザ端末からの要求に応じて、前記交通広告記録手段に記録された交通広告を通信回線を介して前記ユーザ端末に転送する交通広告転送手段を備えた
ことを特徴とする広告掲示システム。
【請求項５】
前記交通広告記録手段に記録された交通広告が、広告内容に合わせてカテゴリ別に記録された
ことを特徴とする請求項４に記載の広告掲示システム。
【請求項６】
前記交通広告記録手段に記録された交通広告が、前記広告主サーバとリンクされた
ことを特徴とする請求項４または請求項５に記載の広告掲示システム。
【発明の詳細な説明】
【技術分野】
【０００１】
本発明は広告掲示システムに関する。詳しくは、車両広告や駅広告等を利用する広告掲示システムに係るものである。
【背景技術】
【０００２】
インターネットの普及により、インターネットにおける広告が重要視され続けている。そして、広告主は、できるだけ多くの人に閲覧してもらうために様々な工夫を凝らしている。
【０００３】
インターネットにおける広告形態の一つとしてバナー広告があるが、バナー広告のクリック率の低下傾向が懸念されており、インターネット視聴者の特性に合わせたバナー広告の見せ方を工夫する必要が出てきている。
【０００４】
そこで、特許文献１には、インターネット等のネットワークのウェブサイトから提供されるバナー広告等のネットワーク広告から広告サイトにリンク接続した視聴者に、リンク時の時間情報等によるくじ方式やリンク回数を積算したポイント方式によって、商品やサービス等を提供する方法が記載されている。このような方法により、バナー広告の閲覧を促進することができる。
【０００５】
【特許文献１】特開２００２−１３３２４０号公報
【発明の開示】
【発明が解決しようとする課題】
【０００６】
しかしながら、バナー広告は、制限された枠内に文字や画像（静止画や動画）を細かく詰め込んで作成されており、インターネット利用者に対してぼやけた印象を与える傾向にあり、従来の方法のようにポイント方式を採っても、インターネット利用者を広告に惹き付けるには充分ではなかった。
【０００７】
本発明は、以上の点に鑑みて創案されたものであり、インターネット利用者を広告に惹き付ける広告掲示システムを提供することを目的とする。
【課題を解決するための手段】
【０００８】
上記の目的を達成するために、本発明の広告掲示システムは、広告主サーバと、広告掲示サーバと、ユーザ端末とによって、広告を掲示する広告掲示システムであって、前記広告主サーバは、交通広告を通信回線を介して前記広告掲示サーバへ送信する交通広告送信手段を備え、前記広告掲示サーバは、前記交通広告送信手段から受信した交通広告を記録する交通広告記録手段と、前記ユーザ端末からの要求に応じて、前記交通広告記録手段に記録された交通広告を通信回線を介して前記ユーザ端末に転送する交通広告転送手段を備え、前記ユーザ端末は、前記交通広告転送手段から交通広告を受信する交通広告受信手段を備えたことを特徴とする。
【０００９】
ここで、交通広告を記録する交通広告記録手段によって、公共交通機関等を利用しなくても一括して交通広告を閲覧できる。なお、ここでいう「交通広告」は、実際に車両内や駅構内に貼られる交通広告がデジタル化されたものである。
【００１０】
また、本発明の広告掲示システムにおいて、交通広告記録手段に記録された交通広告が、広告内容に合わせてカテゴリ別に記録された場合、同じカテゴリに属する商品の交通広告が並ぶので同種商品等の比較検討が行ない易くなる。
【００１１】
更に、本発明の広告掲示システムにおいて、交通広告記録手段に記録された交通広告が、広告主サーバとリンクされた場合、ユーザが交通広告を見て広告内容についてさらに詳しい情報を得たいときでも容易に情報を得ることができる。
【００１２】
また、上記の目的を達成するために、本発明の広告掲示システムは、広告掲示サーバを有し、広告を掲示する広告掲示システムであって、前記広告掲示サーバは、広告主サーバから交通広告を通信回線を介して受信する交通広告受信手段と、該交通広告受信手段によって受信した交通広告を記録する交通広告記録手段と、ユーザ端末からの要求に応じて、前記交通広告記録手段に記録された交通広告を通信回線を介して前記ユーザ端末に転送する交通広告転送手段を備えたことを特徴とする。
【００１３】
ここで、交通広告を記録する交通広告記録手段によって、公共交通機関等を利用しなくても一括して交通広告を閲覧できる。なお、ここでいう「交通広告」は、実際に車両内や駅構内に貼られる交通広告がデジタル化されたものである。
【発明の効果】
【００１４】
本発明に係る広告掲示システムは、インターネット利用者を広告に惹き付けることができる。
【発明を実施するための最良の形態】
【００１５】
以下、本発明の実施の形態について図面を参照しながら説明し、本発明の理解に供する。
図１は、本発明を適用した広告掲示システムの構成の一例を説明する概略図である。図１において、本発明の広告掲示システム１は、複数の広告主サーバ（広告主サーバＡ、広告主サーバＢ、広告主サーバＣ）２と、広告掲示サーバ３と、ユーザ端末４からなる。
【００１６】
ここで、各広告主サーバ２は、交通広告をインターネット（通信回線の一例である。）９を介して広告掲示サーバ３へ送信する交通広告送信手段５を備えている。
【００１７】
また、広告掲示サーバ３は、交通広告送信手段５から受信した交通広告を記録する交通広告データベース（交通広告記録手段の一例である。）６と、ユーザ端末からの要求に応じて、交通広告データベース６に記録された交通広告をインターネット９を介してユーザ端末に転送する交通広告転送手段７とを備えている。
また、交通広告データベース６には、複数の交通広告（交通広告Ａ、交通広告Ｂ、交通広告Ｃ）６Ａが記録されており、各交通広告６Ａは、各広告主サーバ２とリンクしている。
また、交通広告６Ａは、北海道、東北、関東、北陸、東海、近畿、中国、四国、九州、沖縄といった地域別に分けられて記録されていると共に、住宅、飲料水、菓子、家電製品、映画等のようにカテゴリ別に分けられて記録されている。また、地域の分類を更に細かくして都道府県別、市町村別、鉄道路線別に交通広告６Ａを分類して記録してもよい。
【００１８】
また、ユーザ端末４は、交通広告転送手段７から交通広告を受信する交通広告受信手段８を備えており、複数の交通広告６Ａが記録された広告掲示サーバ３のウェブサイトがユーザ端末４に表示される。
【００１９】
次に、広告主が広告掲示サーバのウェブサイトに広告を載せるまでの手順を説明する。
先ず、広告主は、広告掲示サーバのウェブサイトの申し込みフォームより登録申請内容を記入すると共に、企業または商品の広告内容に合わせた地域やカテゴリ等を選択し、広告掲示サーバのウェブサイトを運営する会社（サイト運営会社）へ送信する。
次に、サイト運営会社が登録内容と登録料を確認した後、ＩＤとパスワードを各企業または各商品について広告主へ発行する。
そして、実際に車両内や駅構内において貼られる完成した交通広告ポスターの画像データをそのままＪＰＥＧやＧＩＦデータに変換して、サイト運営会社へ送信する。そして、サイト運営会社は送信された画像データを確認する。例えば、交通広告がＢ１サイズのポスターの場合、広告掲示サーバに記録される交通広告画像サイズは、同比率の高さ３６４×幅２５７ピクセルとし、交通広告がＢ０サイズのポスターまたは車内吊り用のＢ３サイズのポスターの場合、広告掲示サーバに記録される交通広告画像サイズは、同比率の〔高さ３６４×幅２５７ピクセル〕×２枚とする。
画像データに問題なければ、広告主はウェブブラウザ上から好きなタイミングで交通広告ポスターの画像データをアップロードする。また、地域やカテゴリも同時に決定される。また、広告主は、ＩＤとパスワードを入力してログインし、適宜画像データを更新できる。
【００２０】
図２に、広告掲示サーバに基づくウェブサイトの一例を説明する概略図を示す。ここで、図２（ａ）は、トップページの一例であり、トップページでは日本地図と全国エリアを対象とした企業や商品の交通広告とが一括して並べられ、図２（ｂ）は、九州沖縄の地図と九州沖縄地域を対象とした交通広告とが一括して並べられたページの一例であり、そして図２（ｃ）は、住宅のカテゴリを示すマークと九州沖縄地域の住宅のカテゴリに属する交通広告とが一括して並べられたページの一例を示す。
【００２１】
また、図２（ａ）に示すように、日本地図付近には、様々なカテゴリ名が列挙されてユーザがカテゴリを選択できるカテゴリ選択欄１０と、ユーザがキーワードを入力して交通広告を検索できるキーワード検索欄１１と、広告掲示サーバのウェブサイトを運営する会社に広告主が登録申請をすると発行されるＩＤとパスワードをそれぞれ入力するＩＤ入力欄１２と、パスワード入力欄１３とが表示されている。
また、交通広告は上部と下部に分けられて表示されており、上部スペースには広告主がログインをして更新可能な交通広告が表示され、下部スペースには一般の広告スペースとして交通広告やその他一般の広告が表示される。更新された交通広告は、左から２番目に配置され、更新されない交通広告は次第に右側へと移っていく。
また、日本地図は北海道、東北、関東、北陸、東海、近畿、中国、四国及び九州沖縄に分けられ、各地域をクリックすると各地域を対象とした交通広告が上部スペースに表示されたページに移動し、例えば九州沖縄地域をクリックすると図２（ｂ）に示すページに移動する。
【００２２】
また、図２（ｂ）に示すページにおいて例えば住宅のカテゴリをカテゴリ選択欄１０から選択すると、図２（ｃ）に示すページに移動する。
【００２３】
このように、本発明の広告掲示システムは、広告掲示サーバに交通広告を記録し、ユーザの要求に応じて交通広告をユーザに転送するので、ユーザは公共交通機関等を利用しなくても一括して交通広告を閲覧できる。
【００２４】
また、交通広告は、元来、車両や駅構内に貼られることから視認できる時間や表現できるスペース上の制約があるため、効果的でインパクトのある企業（商品）メッセージを訴求しようと高いレベルで創造性が駆使されて表現されており、広告としての質の高さには定評があり、即座に認知してもらえる工夫がなされた創造性豊かなデザインを有するので、本発明の広告掲示システムによって、広告掲示サーバのウェブサイトに掲示された交通広告を見たユーザを惹き付けることができ、販売促進やイメージアップにも効果を発揮する。
【００２５】
また、本発明の広告掲示システムによって、今まで、実際に車両や駅に出向かなければ見ることができなかった交通広告を、自宅等に居ながら見たいときにゆっくりと見ることができる。そして、ユーザは多くの交通広告に触れる機会が増え、かつ広告主に対しては、インターネット上で氾濫しているウェブサイトの中から自社のサイトへアクセスしてもらう機会が増えるため、広告メディアとしての交通広告の媒体価値を高めることができる。
また、広告掲示サーバのウェブサイトに掲示されてインターネット上で容易に多くの人に交通広告が見られることになり、また他の交通広告と共に並べられるので、交通広告制作者の競争心を刺激し創作意欲を向上させて更に質の高い交通広告が制作される。
【００２６】
また、交通広告が地域別やカテゴリ別に広告掲示サーバに記録されているので、広告掲示サーバのウェブサイトを閲覧するユーザは、自分の生活圏の地域を選択してインターネット上で交通広告を見ることができ、また、同じカテゴリに属する商品の交通広告が並ぶので同種商品等の比較検討が行ない易くなる。
【００２７】
また、広告掲示サーバに記録された交通広告が広告主サーバとリンクされているので、ユーザが交通広告を見て広告内容についてさらに詳しい情報を得たいときでも容易に情報を得ることができる。
【図面の簡単な説明】
【００２８】
【図１】本発明を適用した広告掲示システムの構成の一例を説明する概略図である。
【図２】広告掲示サーバに基づくウェブサイトの一例を説明する概略図である。
【符号の説明】
【００２９】
１    広告掲示システム
２    広告主サーバ
３    広告掲示サーバ
４    ユーザ端末
５    交通広告送信手段
６    交通広告データベース
６Ａ  交通広告
７    交通広告転送手段
８    交通広告受信手段
９    インターネット
１０    カテゴリ選択欄
１１    キーワード検索欄
１２    ＩＤ入力欄
１３    パスワード入力欄
【図１】
2008052658.tif 000003
【図２】
2008052658.tif 000004